(57)【要約】【課題】線材巻回時に、固定用のテープ等を用いることなく線材同士の接触や緩み等を防止することができ、よって小型化および多巻線化に対応することができるトランスボビンを提供する。【解決手段】コイルを形成する複数本の線材Ｗが径方向に複数段に重ね巻きされる筒状の巻線部１０と、この巻線部１０の軸線方向の端部に一体的に形成されてコイルの端部が絡げられる複数本の端子１３が軸線と直交する方向に間隔をおいて植設された端子台１２とを備えたトランスボビンにおいて、端子台１２における端子１３の植設部と巻線部１０との間に、巻線部１０の軸線と直交する方向に延在する壁部１４を形成し、壁部１４に、中央部から両端部に向けて漸次高さ寸法が大きくなる段部１５を形成した。【選択図】図２
2014120506.tif 000002
【特許請求の範囲】
【請求項１】
コイルを形成する複数本の線材が順次径方向に複数段に重ね巻きされる筒状の巻線部と、この巻線部の軸線方向の端部に一体的に形成されて上記線材の端部が絡げられる複数本の端子が上記軸線と直交する方向に間隔をおいて植設された端子台とを備えたトランスボビンにおいて、
上記端子台における上記端子の植設部と上記巻線部との間に、上記巻線部の上記軸線と直交する方向に延在する壁部を形成し、当該壁部に、上記軸線と直交する方向に向けて漸次高さ寸法が大きくなる段部を形成したことを特徴とするトランスボビン。
【請求項２】
上記段部は、上記壁部の中央部から両端部に向けて漸次高さ寸法が大きくなるように形成されていることを特徴とする請求項１に記載のトランスボビン。
【請求項３】
上記壁部と上記端子台との間に、底面が上記段部よりも低い溝部を形成したことを特徴とする請求項１または２に記載のトランスボビン。
【請求項４】
上記端子台の上記端子の植設部と上記壁部との間には、上記壁部に沿って複数本の柱部が立設され、隣接する上記柱部間に上記線材が挿通されることを特徴とする請求項１ないし３のいずれかに記載のトランスボビン。
【発明の詳細な説明】
【技術分野】
【０００１】
本発明は、線材が巻回される巻線部と、当該線材の端部が絡げられる端子が植設された端子台とが一体に形成されたトランスボビンに関するものである。
【背景技術】
【０００２】
図６および図７は、従来のこの種のトランスボビンを示すもので、このトランスボビンは、コイルを形成するための線材２が巻回される角筒状の巻線部１と、この巻線部１の軸線方向の両端部に一体的に形成されて線材２の端部が絡げられる複数本の端子３が上記軸線と直交する方向に間隔をおいて植設された板状の端子台４ａ、４ｂとから概略構成されたものである。
【０００３】
ところで、このようなトランスボビンに線材２によってコイルを形成する場合には、先ず線材２を、一方の端子台４ａに植設された端子３に絡げた後に、当該線材２を巻線部１側に引き出してその外周に所定のターン数巻回すことにより上記コイルを形成し、次いでこの線材２を端子台４ａまたは端子台４ｂ側に引き戻して他の端子２に絡げる方法によって行っている。
【０００４】
そして、複数本の線材２を、順次巻線部１の径方向に複数段に重ね巻きする多巻線タイプのトランスボビンにおいては、各々の線材２に対して、順次上記工程が繰り返し行われることになる。
【０００５】
この際に、端子台４ａ側から巻線部１側に引き出した線材２が、既に巻線部１に巻回されている線材の端子台４ａ側からの引き出し部分、あるいは端子台４ｂ側への引き戻し部分と接触したり、巻線部１に巻回する前に緩みが生じたりすることを防止するために、通常図７に示すように、端子２に絡げて巻線部１側に引き出した線材２を、一旦巻線部１側に面する端子台４ａの側面にテープ５によって仮固定する方法が採られている。
【０００６】
しかしながら、上記テープ５によって線材２を仮固定する方法にあっては、線材２の固定位置が安定しないために、依然として他の線材２と接触するおそれがあった。特に、近年、トランスに対する小型化および多巻線化の要請から、上記トランスボビンにおける複数本の線材２の間隔が極めて狭くなっているために、テープ５の幅寸法も小さくなり、作業に高い熟練度を要するとともに、確実に他の線材２との線接触を防止することが難しいという問題点があった。
【０００７】
そこで、線材２として、他の線材２と接触しても問題を生じない、三層絶縁電線などの特種線材を使用して対応することも考えられるものの、製品コストが過度に高くなってしまうという問題があった。
【発明の概要】
【発明が解決しようとする課題】
【０００８】
本発明は、上記事情に鑑みてなされたものであり、線材巻回時に、固定用のテープ等を用いることなく線材同士の接触や緩み等を防止することができ、よって小型化および多巻線化に対応することができるトランスボビンを提供することを課題とするものである。
【課題を解決するための手段】
【０００９】
上記課題を解決するため、請求項１に記載の発明は、コイルを形成する複数本の線材が順次径方向に複数段に重ね巻きされる筒状の巻線部と、この巻線部の軸線方向の端部に一体的に形成されて上記線材の端部が絡げられる複数本の端子が上記軸線と直交する方向に間隔をおいて植設された端子台とを備えたトランスボビンにおいて、上記端子台における上記端子の植設部と上記巻線部との間に、上記巻線部の上記軸線と直交する方向に延在する壁部を形成し、当該壁部に、上記軸線と直交する方向に向けて漸次高さ寸法が大きくなる段部を形成したことを特徴とするものである。
【００１０】
また、請求項２に記載の発明は、請求項１に記載の発明において、上記段部は、上記壁部の中央部から両端部に向けて漸次高さ寸法が大きくなるように形成されていることを特徴とするものである。
【００１１】
さらに、請求項３に記載の発明は、請求項１または２に記載の発明において、上記壁部と上記端子台との間に、底面が上記段部よりも低い溝部を形成したことを特徴とするものである。
【００１２】
また、請求項４に記載の発明は、請求項１〜３のいずれかに記載の発明において、上記端子台の上記端子の植設部と上記壁部との間には、上記壁部に沿って複数本の柱部が立設され、隣接する上記柱部間に上記線材が挿通されることを特徴とするものである。
【発明の効果】
【００１３】
請求項１〜４のいずれかに記載の発明によれば、端子台の端子の植設部と巻線部との間に壁部を形成するとともに、この壁部に巻線部の軸線と直交する方向に向けて漸次高さ寸法が大きくなる段部を形成しているために、巻線部に巻回する複数本の線材を、順次前段において巻回した線材よりも高さ寸法が大きい段部上に沿って端子台から巻線部側に引き出し、あるいは巻線部から端子台側に引き戻すことにより、テープ等を用いることなく、確実に巻線時における線材同士の接触や緩みを防止することができる。
【００１４】
ここで、壁部に、上記段部を巻線部の軸線と直交する方向に向けて漸次高さ寸法が大きくなるように形成するに際しては、様々な形態を採ることが可能であるが、例えば壁部の一端部から他端部に向けて漸次高さ寸法を増加させて行くと、全体として壁部の高さ寸法が大きくなって大型化を招くおそれがある。
【００１５】
この点、請求項２に記載の発明のように、中央部から両端部に向けて漸次高さ寸法が大きくなるように形成すれば、全体として壁部の高さ寸法を低く抑えることができる。
【００１６】
また、請求項３に記載の発明によれば、上記線材が交差する場合においても、壁部と端子台との間に、当該線材を案内する段部よりも低い位置に底面を有する溝部を形成しているために、上記線材同士が接触することを防ぐことができる。
【００１７】
さらに、請求項４に記載の発明おいては、端子台の端子の植設部と壁部との間に、壁部に沿って複数本の柱部を立設し、隣接する柱部間に線材を通しているために、線材が所定の段部に隣接する段部へと脱落等することを防止することができ、よって線材の間隔が極めて狭い場合にも、確実に線材同士の接触を回避させることが可能になる。
【図面の簡単な説明】
【００１８】
【図１】本発明のトランスボビンの一実施形態を示す底面図である。
【図２】図１のＩＩ−ＩＩ線視断面図である。
【図３】図１のＩＩＩ−ＩＩＩ線視断面図である。
【図４】図１のトランスボビンに線材を巻回する状態を示す底面図である。
【図５】図４の斜視図である。
【図６】従来のトランスボビンを示す底面図である。
【図７】図６のＶＩＩ−ＶＩＩ線視断面図である。
【発明を実施するための形態】
【００１９】
図１〜図５は、本発明に係るトランスボビンの一実施形態を示すもので、図中符号１０が、コイルを形成する複数本の線材Ｗが、順次径方向に複数段に重ね巻きされる巻線部である。
この巻線部１０は、角筒状に形成されたもので、その軸線方向の両端部に形成されたフランジ部１１に、それぞれ端子台１２が一体成形されている。
【００２０】
この端子台１２は、巻線部１０の軸線と直交する方向に長手方向を有する角柱状に形成されたもので、その上面１２ａには、上記線材Ｗの端部を絡げるための複数本（本実施形態においては、１０本）の端子１３が、上記長手方向に間隔をおいて植設されている。そして、この端子台１２と巻線部１０との間に、壁部１４が形成されている。
【００２１】
この壁部１４は、巻線部のフランジ１１を巻線部１０の上記端子台１２の長手方向に沿って延出させたもので、この壁部１４には、上記長手方向の中央部から両端部に向けて各々漸次高さ寸法が大きくなる段部１５が形成されている。ここで、壁部１４は、両端部の最も高い上面が端子台１１における上面（端子１３の植設面）１２ａよりも幾分高い位置となる寸法に形成されている。
【００２２】
さらに、この壁部１４と端子台１２との間には、底面が段部１５よりも低い溝部１６（図４においてはハッチングで示す。）が形成されている。また、端子台１２における端子１３と壁部１４との間には、壁部１４に沿って複数本（端子本数＋１本；本実施形態においては１１本）の柱部１７が立設されている。なお、端子台１２の長手方向の中央部における柱部１７は、壁部１４と一体化されている。そして、これら柱部１７間に、上記線材Ｗが挿通される間隙部が形成されている。
【００２３】
上記構成からなるトランスボビンにおいては、端子台１２における端子１３の植設部と巻線部１０との間に、壁部１４を形成するとともに、この壁部１４に、巻線部１０の軸線と直交する方向に向けて漸次高さ寸法が大きくなる段部１５を形成している。このため、図４および図５に示すように、巻線部１０に重ね巻きする複数本の線材Ｗを、順次前段において巻回した線材Ｗよりも高さ寸法が大きい段部１５上に沿って端子台１２から巻線部１０側に引き出し、あるいは巻線部１０から端子台１２側に引き戻すことにより、従来のようにテープ等を用いることなく、確実に巻線時における線材Ｗ同士の接触や緩みを防止することができる。
【００２４】
また、上記段部１５を、壁部１４の中央部から両端部側に向けて漸次高さ寸法が大きくなるように形成しているために、全体として壁部１４の高さ寸法を小さく抑えることができ、大型化を招くことがない。
【００２５】
さらに、壁部１４と端子台１２との間に、線材Ｗを案内する段部１５よりも低い位置に底面を有する溝部１６を形成しているために、線材Ｗが交差する場合においても、線材Ｗ同士が接触することを防ぐことができる。
【００２６】
加えて、端子台１２における端子１３の植設部と壁部１４との間に、端子台１２の長手方向に複数本の柱部１７を間隔をおいて立設し、図４に示すように、隣接する柱部１７間に線材Ｗを通しているために、線材Ｗが本来の段部１５の隣側の段部１５へと脱落等することを防止することができ、よって線材Ｗの間隔が極めて狭い場合にも、確実に線材Ｗ同士の接触を回避させることができる。
【符号の説明】
【００２７】
１０  巻線部
１２  端子台
１３  端子
１４  壁部
１５  段部
１６  溝部
１７  柱部
Ｗ  線材
【図１】
2014120506.tif 000003
【図２】
2014120506.tif 000004
【図３】
2014120506.tif 000005
【図４】
2014120506.tif 000006
【図５】
2014120506.tif 000007
【図６】
2014120506.tif 000008
【図７】
2014120506.tif 000009